(57)【要約】【課題】イヌや猫などの白系や茶系の毛の付着量を一目で確認でき、また、粘着テープの切れ目の位置も容易に判別することができる粘着テープロールを提供する。【解決手段】粘着テープ２の少なくとも粘着面２２側にマンセル色相環のＧＹ（黄緑）→Ｇ（緑）→ＢＧ（青緑）→Ｂ（青）→青紫（ＰＢ）の色相変化に含まれる色で着色がグラデーションとなるように施す。【選択図】図１
2008264052.tif 000002
【特許請求の範囲】
【請求項１】
基材の一方の面に粘着面が形成された粘着テープを、その粘着面が表側を向くように巻回してなる粘着テープロールにおいて、
上記粘着テープの粘着面側には、色の階調がグラデーションとなるように着色が施されていることを特徴とする粘着テープロール。
【請求項２】
上記グラデーションは、少なくとも上記粘着テープのほぼ１周長間隔で色階調が濃→淡または淡→濃が繰り返されていることを特徴とする請求項１に記載の粘着テープロール。
【請求項３】
上記粘着テープには、所定長さで切断するための切れ目がほぼ１周長間隔で設けられており、上記グラデーションは、上記切れ目を挟んで対称となるように施されている請求項１または２に記載の粘着テープロール。
【請求項４】
上記グラデーションの階調変化の方向は、粘着テープの長さ方向に対して平行または所定角度傾斜して設けられていることを特徴とする請求項１１，２または３に記載の粘着テープロール。
【請求項５】
上記グラデーションは、上記粘着テープの長さ方向に沿って少なくとも２つ設けられており、それらの階調変化が所定間隔でずらされていることを特徴とする請求項１ないし４のいずれか１項に記載の粘着テープロール。
【請求項６】
基材の一方の面に粘着面が形成された粘着テープを、その粘着面が表側を向くように巻回してなる粘着テープロールにおいて、
上記粘着テープの少なくとも粘着面側は、マンセル色相環のＧＹ（黄緑）→Ｇ（緑）→ＢＧ（青緑）→Ｂ（青）→ＰＢ（青紫）の色相変化に含まれるいずれか１色もしくは複数の色に着色されていることを特徴とする粘着テープロール。
【請求項７】
上記着色には、グラデーションが施されていることを特徴とする請求項６に記載の粘着テープロール。
【発明の詳細な説明】
【技術分野】
【０００１】
本発明は、基材の一方の面に粘着面が形成された粘着テープを、その粘着面が表側を向くように巻回してなる清掃用の粘着テープロールに関し、さらに詳しく言えば、粘着テープに付着したゴミを視認しやすい粘着テープロールに関する。
【背景技術】
【０００２】
カーペットなどに付着したゴミを簡易除去する清掃具の１つに粘着式清掃具がある。例えば特許文献１に示すように、粘着式清掃具は、片面粘着テープの粘着面が表側を向くようにロール状に巻回した粘着テープロールを専用の治具（清掃具本体）に装着して、粘着面を床などの被清掃面に接触させながら転がすことにより、被清掃面上のゴミを粘着面で捕らえる清掃具である。
【０００３】
通常、粘着テープロールの粘着面は、白地の紙製基材の表面にほぼ透明な粘着材層をベタ塗りやスジ塗りすることで形成されている。これによれば、粘着テープに毛髪や埃などの黒色系のゴミの付着量を視認しやすいため、ユーザが粘着テープの交換時期（再外層を剥がし取って廃棄する時期）を見極めやすかった。
【０００４】
【特許文献１】特開２００３−５２６０２号公報
【発明の開示】
【発明が解決しようとする課題】
【０００５】
しかしながら、近年ではペットブームによって猫や小型犬などを室内で飼育する家庭が増えている。猫や小型犬などのペットは、種類によって毛髪の色が、黒色系、白色系や茶色系など様々である。
【０００６】
したがって、従来の粘着テープロールはベース色が白色系のため、粘着面に茶色系や白色系といった色の毛が付着した場合、その付着量を一目で認識しにくかった。
【０００７】
また別の問題として、粘着テープはほぼ一周長ごとにミシン目（切れ目）が設けられており、このミシン目に沿って使用済みの粘着テープを切り離すことで、新しい未使用の粘着テープを露出できるようになっているが、従来より白色系粘着テープはミシン目の位置が分かり難いという問題もあった。
【課題を解決するための手段】
【０００８】
そこで、本発明は、上述した課題を解決するため、白や茶などの毛の付着量を一目で確認でき、また、粘着テープの切れ目の位置も容易に判別することができる粘着テープロールを提供することにある。
【０００９】
上述した目的を達成するため、本発明は以下に示すいくつかの特徴を備えている。請求項１に記載の発明は、基材の一方の面に粘着面が形成された粘着テープを、その粘着面が表側を向くように巻回してなる粘着テープロールにおいて、上記粘着テープの粘着面側には、色の階調がグラデーションとなるように着色が施されていることを特徴としている。
【００１０】
請求項２に記載の発明は、上記請求項１において、上記グラデーションは、少なくとも上記粘着テープのほぼ１周長間隔で色階調が濃→淡または淡→濃が繰り返されていることを特徴としている。
【００１１】
請求項３に記載の発明は、上記請求項１または２において、上記粘着テープには、所定長さで切断するための切れ目がほぼ１周長間隔で設けられており、上記グラデーションは、上記切れ目を挟んで対称となるように施されている。
【００１２】
請求項４に記載の発明は、上記請求項１，２または３において、上記グラデーションの階調の変化方向は、粘着テープの長さ方向に対して平行または所定角度傾斜して設けられていることを特徴としている。
【００１３】
請求項５に記載の発明は、上記請求項１ないし４のいずれか１項において、上記グラデーションは、上記粘着テープの長さ方向に沿って少なくとも２つ設けられており、それらの階調変化が所定間隔でずらされていることを特徴としている。
【００１４】
請求項６に記載の発明は、基材の一方の面に粘着面が形成された粘着テープを、その粘着面が表側を向くように巻回してなる粘着テープロールにおいて、
上記粘着テープの少なくとも粘着面側は、マンセル色相環のＧＹ（黄緑）→Ｇ（緑）→ＢＧ（青緑）→Ｂ（青）→ＰＢ（青紫）の色相変化に含まれるいずれか１色もしくは複数の色に着色されていることを特徴としている。
【００１５】
請求項７に記載の発明は、上記請求項６において、上記着色には、グラデーションが施されていることを特徴としている。
【発明の効果】
【００１６】
請求項１に記載の発明によれば、粘着テープの粘着面側にグラデーション着色されていることにより、粘着テープの最外層の長さ方向の端部の位置を一目で判別することができるため、長さ方向の端部の近傍に位置する切れ目を探しやすい。
【００１７】
請求項２または３に記載の発明によれば、グラデーションが少なくともほぼ１周長間隔で形成されていることにより、グラデーションの濃淡の階調が長さ方向の端部付近で似た階調にならず、長さ方向の端部の位置を把握しやすいばかりでなく、グラデーションの階調変化の方向が粘着テープの長さ方向に対して平行または所定角度傾斜して設けられていることにより、よりテープの長さ方向の端部を判別しやすい。
【００１８】
請求項４に記載の発明によれば、グラデーションが粘着テープの長さ方向に沿って少なくとも２つ設けられていることにより、グラデーションパターンをより複雑化することで、よりテープ端部を判別しやすくなる。
【００１９】
請求項５に記載の発明によれば、粘着テープをマンセル色相環のＧＹ（黄緑）→Ｇ（緑）→ＢＧ（青緑）→Ｂ（青）→ＰＢ（青紫）の色相変化に含まれるいずれか１色もしくは複数の色に着色されていることにより、粘着テープの粘着面側が青緑など白色や茶色の補色となる色に着色されているため、これらのゴミの付着状況を判別しやすくなる。
【００２０】
請求項６に記載の発明によれば、着色にさらにグラデーション加工を施すことにより、テープの長さ方向の端部を容易に判別することができる。
【発明を実施するための最良の形態】
【００２１】
次に、本発明の実施形態について図面を参照して説明するが、本発明はこの限りではない。図１は、本発明の一実施形態に係る粘着テープロールの斜視図であり、図２は粘着テープロールの正面図である。
【００２２】
図１に示すように、この粘着テープロール１は、テープ状基材２１の一方の面（図１では上面）に粘着面２２が形成された粘着テープ２を、その粘着面２２が表側を向くように巻芯３に沿ってロール状に巻回したものからなる。
【００２３】
この例において、粘着テープロール１の中心には、巻芯３が設けられているが、巻芯３の有無については任意である。また、粘着テープ２の長さや巻数、テープ厚さなどについても同様に任意である。
【００２４】
粘着テープ２には、ほぼ１周長ごとに最外層の粘着テープ２を切り離すための切れ目４が設けられている。この例において、切れ目４は、粘着テープ２の幅方向に沿って形成されたミシン目からなるが、切れ目４の形状や位置は、仕様に応じて任意に変更可能である。
【００２５】
基材２１は、例えば紙製で一方の面（表面）には粘着剤が塗布されている。粘着剤の種類は、使用される清掃面の種類（例えばフローリングやカーペットなど）によって弱粘着タイプや強粘着タイプの粘着剤が任意に選択して用いられる。
【００２６】
この例において、粘着剤は基材２１に一様に塗布された、いわゆるベタ塗りであるが、これ以外にスジ状に塗布されていてもよいし、スポット状（島状）に塗布されていてもよく、その塗布形態は仕様に応じて任意に変更可能である。
【００２７】
また、粘着テープ２の粘着面２２の幅方向の両端には、粘着剤が塗布されていない非粘着部（ドライエッジ部）２４が所定の幅を持って形成されている。粘着テープ２の裏面には、図示しない剥離処理が施されている。本発明において、剥離処理は任意的事項である。
【００２８】
基材２１の粘着面２２側の少なくとも粘着剤が塗布される部分には、グラデーションとなるように着色が施されている。また、グラデーションは、粘着テープ２を少なくともほぼ１周長間隔で形成されていることが好ましい。本発明において、グラデーションとは、一方から他方に向かって色の濃淡階調が漸次変化するように着色を施すことを言う。
【００２９】
基材２１は、マンセル色相環のＧＹ（黄緑）→Ｇ（緑）→ＢＧ（青緑）→Ｂ（青）→ＰＢ（青紫）の色相変化に含まれるいずれか１色もしくは複数の色（図４参照）、この例では青緑色に着色されている。これによれば、粘着テープの粘着面側が白色や茶色の補色となる青緑色に着色されているため、これらのゴミの付着状況を判別しやすくなる。
【００３０】
図３（ａ）に示すように、この粘着テープ２は、２周長分の粘着テープ２が示されており、その境界には切れ目４が設けられている。その粘着面２２側には、グラデーションが粘着テープ２のほぼ１周長（テープ端部２３から切れ目４に至るまでの長さ）周期で濃淡が繰り返し施されている。
【００３１】
すなわち、図３（ａ）においては、長手方向のテープ端部２３が濃く、そこから切れ目４に向かうにつれて漸次、色階調が変化して行き、切れ目４周辺で淡くなるようにグラデーションが施されている。
【００３２】
グラデーションは、切れ目４を挟んで対称に形成されていることが好ましい。すなわち、図３（ａ）に示すように、切れ目４を挟んで２周長目の粘着テープ２は、切れ目４の周囲が淡く、次の切れ目（上方）に向かうにしたがい階調が濃くなるようになっている。
【００３３】
この例において、階調はテープ端部２３が濃く、切れ目４が淡くなっている（濃→淡）が、逆にテープ端部２３側を淡くし、切れ目４側を濃くしてもよい。また別の態様として、図３（ｂ）に示すように、１周長ごとに濃→淡（または淡→濃）を繰り返してもよい。
【００３４】
これによれば、グラデーション変化が少なくとも１周長周期で繰り返されていることにより、図２に示すように、最外層のテープ端部２３の位置において、色の階調変化が顕著に表れるため、テープ端部２３を容易に変別することができ、その近辺に隣接する切れ目４を見つけやすい。
【００３５】
この例において、グラデーション変化は、図３（ａ）に示すように、ほぼ１周長周期で形成されているが、テープ端部２３と次層の粘着テープ２との境界部において、同じ階調にならないようなグラデーション変化であれば、仕様に応じて任意に変更可能である。
【００３６】
また、図３（ｃ）に示すように、グラデーションを粘着テープ２の長手方向（繰り出し方向：図３（ｃ）では上下方向）に沿って２列以上平行に形成してもよい。これによれば、各グラデーションの階調変化のパターンをずらすことにより、テープ端部２３と次層の粘着テープ２との境界部における判別をより確実におこなうことができる。
【００３７】
グラデーションの階調変化の方向は、図３（ａ）〜（ｃ）に示すように、粘着テープ２の長手方向（繰り出し方向）に沿って平行に変化するのが最も基本的なパターンであるが、図３（ｄ）に示すように、斜め方向（この例では繰り出し方向に対して斜め４５°）に設けられていてもよい。
【００３８】
これによれば、斜め方向に階調変化を行うことにより、テープ端部２３と次層の粘着テープ２との境界部における、階調変化がより複雑になるため、テープ端部２３の判別をより確実におこなうことができる。
【００３９】
図３（ｄ）において、グラデーションの階調変化は斜め４５°で変化するようになっているが、粘着テープ２の繰り出し方向（図３（ｄ）の上下方向）に対して所定角度傾斜するように設けられていればよく、直角方向に階調変化するようにしてもよい。
【００４０】
この例において、グラデーション着色は、基材２１に印刷によって形成されているが、これ以外に、一定厚さで形成された粘着剤層の表面に、粘着剤成分に顔料を加えた粘着性塗料をグラデーション塗布して形成してもよい。
【００４１】
また、あらかじめグラデーション着色加工が施された樹脂フィルム製の基材に粘着剤を塗布して粘着テープ２を形成するようにしてもよく、粘着テープ２の少なくとも粘着面２２側がグラデーションによって色の階調変化が設けられていれば、その形態は特に限定されない。
【００４２】
この例において、粘着テープ２の粘着面２２は、マンセル色相環のＧＹ（黄緑）→Ｇ（緑）→ＢＧ（青緑）→Ｂ（青）→青紫（ＰＢ）の色相変化に含まれる色でグラデーション着色されているが、たんなるベタ色で着色されていてもよい。
【図面の簡単な説明】
【００４３】
【図１】本発明の一実施形態に係る粘着テープロールの斜視図。
【図２】粘着テープロールの正面図。
【図３】（ａ）グラデーション着色加工が施された粘着テープの展開図，（ｂ）グラデーション加工の別の態様を示す展開図，（ｃ）２つのグラデーション着色加工が施された粘着テープの展開図，（ｄ）斜め方向にグラデーション着色加工が施された粘着テープの展開図。
【図４】マンセル色相環の模式図。
【符号の説明】
【００４４】
１  粘着テープロール
２  粘着テープ
２１  基材
２２  粘着面
２３  テープ端部
２４  非粘着部（ドライエッジ）
３  巻芯
４  切れ目
【図１】
2008264052.tif 000003
【図２】
2008264052.tif 000004
【図３】
2008264052.tif 000005
【図４】
2008264052.tif 000006